(57)【要約】【課題】節電モード時の消費電力を更に低減できる画像形成装置を提供する。【解決手段】エンジン制御部１１１は、操作部４７の節電キー４７５からの信号に基づいて電源基板１２に動力系電源の出力を停止させ、かつ、スキャナ電源制御部１０２に対しては、電源基板１２から入力される制御系電源のスキャナ制御基板１０上の各デバイス及び操作部４７への出力を停止させ、メディア読取用インタフェイス１０３にメディアがセットされた場合には、エンジン制御部１１１からの制御信号の有無に関わらず、スキャナ電源制御部１０２によって、電源基板１２から入力されてくる制御系電源がスキャナ制御基板１０上の各デバイス及び操作部４７に出力されるようにする。【選択図】        図２
2005052977.tif 000002
【特許請求の範囲】
【請求項１】
外部操作によって操作部に入力される操作指示に基づいて、電源基板から第１制御ユニット及び第２制御ユニットへの電力供給を制御して消費電力を低減する節電モードでの電源制御が可能な画像形成装置であって、
前記第１制御ユニットは、メディアに記憶された各種データを読み取るためのインタフェイスと、各デバイスの動作制御を司る第１制御部と、各デバイスの電源オン／オフを制御する電源制御部とを備え、
前記第２制御ユニットは、各デバイスの動作制御を司る第２制御部を備え、
前記第２制御ユニットの第２制御部は、前記操作部からの節電モードでの電源制御を指示する信号に基づいて、前記電源基板に動力系電源の出力を停止させ、かつ、前記第１制御ユニットの電源制御部に対して、前記電源基板からこの電源制御部に入力される制御系電源の各デバイスへの出力を停止させ、
前記メディア読み取り用のインタフェイスにメディアがセットされた場合には、前記第２制御部からの制御信号の有無に関わらず、前記第１制御ユニットの電源制御部によって、前記電源基板から入力されてくる制御系電源が各デバイスに出力されることを特徴とする画像形成装置。
【請求項２】
外部操作によって操作部に入力される操作指示に基づいて、電源基板からスキャナ制御基板及びエンジン制御基板への電力供給を制御して消費電力を低減する節電モードでの電源制御が可能な画像形成装置であって、
前記スキャナ制御基板は、メディアに記憶された各種データを読み取るためのインタフェイスと、各デバイスの動作制御を司るスキャナ制御部と、各デバイスの電源オン／オフを制御するスキャナ電源制御部とを備え、
前記エンジン制御基板は、各デバイスの動作制御を司るエンジン制御部を備え、
前記エンジン制御部は、前記操作部からの節電モードでの電源制御を指示する信号に基づいて、前記電源基板に動力系電源の出力を停止させ、かつ、前記スキャナ電源制御部に対して、前記電源基板から前記スキャナ電源制御部に入力される制御系電源の各デバイスへの出力を停止させ、
前記メディア読み取り用のインタフェイスにメディアがセットされた場合には、前記エンジン制御部からの制御信号の有無に関わらず、前記スキャナ電源制御部によって、前記電源基板から入力されてくる制御系電源が各デバイスに出力されることを特徴とする画像形成装置。
【請求項３】
前記操作部には、各種メッセージを表示する表示部が備えられており、この表示部は前記スキャナ制御部によって制御されることを特徴とする請求項２に記載の画像形成装置。
【請求項４】
前記スキャナ制御基板には、前記スキャナ制御部によって制御されるデータバックアップ用記憶部が備えられていることを特徴とする請求項２又は請求項３に記載の画像形成装置。
【発明の詳細な説明】
【０００１】
【発明の属する技術分野】
本発明は、コピー機やプリンタ、ファクシミリ等の画像形成装置に関し、特に、電源制御についての技術に関するものである。
【０００２】
【従来の技術】
従来、コピー機やプリンタ等の画像形成装置には、長時間印刷を行わない場合等における消費電力を低減するために、スキャナ制御基板及びエンジン制御基板への動力系電源（各種駆動系機構の駆動に必要な電力を供給する電源）のオン／オフを制御して消費電力を低減する節電モードで印刷待機が可能なものがある。このような画像形成装置としては、例えば、図５に示すように、外部操作により操作部４７の節電キー４７５が押下され、画像読込用のスキャナ装置を制御するスキャナ制御基板１０上のＣＰＵ１０１に操作部４７から指示が送られると、このスキャナ制御基板１０上のＣＰＵ１０１からエンジン制御基板１１上のＣＰＵ１１１に制御信号が出力され、当該制御信号を受け取ったエンジン制御基板１１上のＣＰＵ１１１が、画像形成装置の電源を制御する電源基板１２に備えられている動力系電源制御部１２１にスキャナ制御基板１０及びエンジン制御基板１１への動力系電源を出力停止させて、制御系電源（制御回路用の電力を供給する電源）のみが電源基板から出力されるように制御するものがある。
【０００３】
また、図６に示すように、操作部４７の節電キー４７５からの指示を受けて、スキャナ制御基板１０のＣＰＵ１０１が、スキャナ電源制御部１０２を介して、スキャナ制御基板１０上のＣＰＵ１０１が搭載されていない回路への制御系電源の出力を停止させるようにした画像形成装置も提案されている。
【０００４】
【発明が解決しようとする課題】
しかしながら、上記の各画像形成装置では、スキャナ制御基板１０上のＣＰＵ１０１が、操作部４７の節電キー４７５からの指示を受けて、エンジン制御基板１１上のＣＰＵ１１１に制御信号を送出する構成であり、節電モード時に、スキャナ制御基板１０への制御系電源の出力を停止させることができないため、消費電力の節約には限界が生じていた。
【０００５】
本発明は、上述した問題点を解決するためになされたものであり、節電モード時における消費電力を更に低減できる画像形成装置を提供することを目的とする。
【０００６】
【課題を解決するための手段】
上記目的を達成するために請求項１に記載の発明は、外部操作によって操作部に入力される操作指示に基づいて、電源基板から第１制御ユニット及び第２制御ユニットへの電力供給を制御して消費電力を低減する節電モードでの電源制御が可能な画像形成装置であって、
前記第１制御ユニットは、メディアに記憶された各種データを読み取るためのインタフェイスと、各デバイスの動作制御を司る第１制御部と、各デバイスの電源オン／オフを制御する電源制御部とを備え、
前記第２制御ユニットは、各デバイスの動作制御を司る第２制御部を備え、
前記第２制御ユニットの第２制御部は、前記操作部からの節電モードでの電源制御を指示する信号に基づいて、前記電源基板に動力系電源の出力を停止させ、かつ、前記第１制御ユニットの電源制御部に対して、前記電源基板からこの電源制御部に入力される制御系電源の各デバイスへの出力を停止させ、
前記メディア読み取り用のインタフェイスにメディアがセットされた場合には、前記第２制御部からの制御信号の有無に関わらず、前記第１制御ユニットの電源制御部によって、前記電源基板から入力されてくる制御系電源が各デバイスに出力されるものである。
【０００７】
この構成によれば、節電モード時には、第２制御ユニット上の第２制御部が、操作部からの指示に基づいて、電源基板から第１制御ユニットへの動力系電源の出力だけでなく制御系電源の出力も停止させるので、節電モード時に電源基板から第１制御ユニットへの動力系電源だけを出力停止させる従来の電源制御よりも、節電モード時の消費電力を低減することができる。
【０００８】
また、節電モードから復帰させる場合等、節電モード時に操作部から操作指示を入力する場合であっても、操作部からの制御信号は、第１制御ユニットではなく、第２制御ユニットの第２制御部に送られるので、第１制御ユニットに電源が出力されておらず、第１制御ユニットの各デバイスが動作していない状態であっても、節電モードからの復帰が可能である。
【０００９】
さらに、メディア読み取り用のインタフェイスにメディアをセットすれば、電源基板から出力される制御系電源が第１制御ユニットの各デバイスに出力されるので、第２制御ユニットに破損・故障等が生じて正常に動作しない場合であっても、第１制御ユニットの各デバイスを正常動作可能な状態に復帰させることができる。
【００１０】
また、請求項２に記載の発明は、外部操作によって操作部に入力される操作指示に基づいて、電源基板からスキャナ制御基板及びエンジン制御基板への電力供給を制御して消費電力を低減する節電モードでの電源制御が可能な画像形成装置であって、
前記スキャナ制御基板は、メディアに記憶された各種データを読み取るためのインタフェイスと、各デバイスの動作制御を司るスキャナ制御部と、各デバイスの電源オン／オフを制御するスキャナ電源制御部とを備え、
前記エンジン制御基板は、各デバイスの動作制御を司るエンジン制御部を備え、
前記エンジン制御部は、前記操作部からの節電モードでの電源制御を指示する信号に基づいて、前記電源基板に動力系電源の出力を停止させ、かつ、前記スキャナ電源制御部に対して、前記電源基板から前記スキャナ電源制御部に入力される制御系電源の各デバイスへの出力を停止させ、
前記メディア読み取り用のインタフェイスにメディアがセットされた場合には、前記エンジン制御部からの制御信号の有無に関わらず、前記スキャナ電源制御部によって、前記電源基板から入力されてくる制御系電源が各デバイスに出力されるものである。
【００１１】
この構成によれば、節電モード時には、エンジン制御基板上のエンジン制御部が、操作部からの指示に基づいて、電源基板からスキャナ制御基板への動力系電源の出力だけでなく制御系電源の出力も停止させるので、節電モード時に電源基板からスキャナ制御基板への動力系電源だけを出力停止させる従来の電源制御よりも、節電モード時の消費電力を低減することができる。
【００１２】
また、節電モードから復帰させる場合等、節電モード時に操作部から操作指示を入力する場合であっても、操作部からの制御信号は、スキャナ制御基板ではなく、エンジン制御基板のエンジン制御部に送られるので、スキャナ制御基板に電源が出力されておらず、スキャナ制御基板の各デバイスが動作していない状態であっても、節電モードからの復帰が可能である。
【００１３】
さらに、メディア読み取り用のインタフェイスにメディアをセットすれば、電源基板から出力される制御系電源がスキャナ制御基板の各デバイスに出力されるので、エンジン制御基板に破損・故障等が生じて正常に動作しない場合であっても、スキャナ制御基板の各デバイスを正常動作可能な状態に復帰させることができる。
【００１４】
また、請求項３に記載の発明は、請求項２に記載の画像形成装置であって、前記操作部には、各種メッセージを表示する表示部が備えられており、この表示部は前記スキャナ制御部によって制御されるものである。
【００１５】
この構成によれば、エンジン制御基板が破損等により正常に動作しない場合等であっても、メディア読み取り用のインタフェイスにメディアがセットされ、電源基板から出力される制御系電源がスキャナ制御基板の各デバイスに出力される状態になれば、スキャナ制御部によって操作部の表示部を制御可能なので、エンジン制御基板が破損や故障等で動作しない場合であっても、操作部の表示部にエラー表示等をすること等が可能になる。
【００１６】
また、請求項４に記載の発明は、請求項２又は請求項３に記載の画像形成装置であって、前記スキャナ制御基板には、前記スキャナ制御部によって制御されるデータバックアップ用記憶部が備えられているものである。
【００１７】
これらの構成では、エンジン制御基板が破損等により正常に動作しない場合等であっても、メディア読み取り用のインタフェイスにメディアがセットされ、電源基板から出力される制御系電源がスキャナ制御基板の各デバイスに出力される状態になれば、スキャナ制御部エンジン制御基板が破損等により正常に動作しない場合であっても、スキャナ制御部による制御でデータバックアップ用記憶部に、印字枚数等のカウンタ値や画像読み込み時のユーザ設定等の情報を最新の内容にバックアップすることができる。
【００１８】
【発明の実施の形態】
以下、本発明に係る実施形態を図面に基づいて説明する。図１は、本発明の一実施形態に係る画像形成装置の一例である複合機の内部構成を概略的に示す側面図である。複合機１は、コピー機能、プリンタ機能、スキャナ機能及びファクシミリ機能等の機能を兼ね備えたものである。この複合機１は、本体部２と、本体部２の左方に配設されたスタックトレイ３と、本体部２の上部に配設された原稿読取部５と、原稿読取部５の上方に配設された原稿給送部６とを有している。
【００１９】
また、複合機１のフロント部には、操作部４７が設けられている。この操作部４７には、ユーザが印刷実行指示を入力するためのスタートキー４７１と、印刷部数等を入力するためのテンキー４７２と、各種複写動作の操作ガイド情報等を表示し、これら各種設定入力用にタッチパネル機能を有する液晶ディスプレイ等からなる表示部４７３と、表示部４７３で設定された設定内容等をリセットするリセットキー４７４と、複合機１を節電モード（スキャナ制御基板及びエンジン制御基板への動力系電源（各種駆動系機構の駆動に必要な電力を供給する電源）のオン／オフを制御して消費電力を低減する節電モード）に設定するための節電キー４７５と、コピー機能、プリンタ機能、スキャナ機能及びファクシミリ機能を切り換えるための機能切換キー４７７が備えられている。
【００２０】
原稿読取部５は、ＣＣＤ（Ｃｈａｒｇｅ  Ｃｏｕｐｌｅｄ  Ｄｅｖｉｃｅ）センサ及び露光ランプ等からなるスキャナ部５１と、ガラス等の透明部材により構成された原稿台５２及び原稿読取スリット５３とを備える。スキャナ部５１は、図略の駆動部によって移動可能に構成され、原稿台５２に載置された原稿を読み取るときは、原稿台５２に対向する位置で原稿面に沿って移動し、原稿画像を走査しつつ取得する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを装置本体に内蔵される制御部（図略）へ出力する。
【００２１】
原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出するための給紙ローラ（図略）、搬送ローラ（図略）等からなる原稿搬送機構６３を備える。原稿搬送機構６３は、さらに原稿を表裏反転させて原稿読取スリット５３と対向する位置へ再搬送する用紙反転機構（図略）を備え、原稿の両面の画像を原稿読取スリット５３を介してスキャナ部５１から読取可能にしている。
【００２２】
また、原稿給送部６は、その前面側が上方に移動可能となるように本体部２に対して回動自在に設けられている。原稿給送部６の前面側を上方に移動させて原稿台５２上面を開放することにより、原稿台５２の上面に読み取り原稿、例えば見開き状態にされた書籍等を操作者が載置できるようになっている。
【００２３】
本体部２は、複数の給紙カセット４６１と、給紙カセット４６１から記録紙を１枚ずつ繰り出して記録部４０へ搬送する給紙ローラ４６２と、給紙カセット４６１から搬送されてきた記録紙に画像を形成する記録部４０とを備える。
【００２４】
記録部４０は、スキャナ部５１で取得された画像データに基づきレーザ光等を出力して感光体ドラム４３を露光する光学ユニット４２と、感光体ドラム４３上にトナー像を形成する現像部４４と、感光体ドラム４３上のトナー像を記録紙に転写する転写部４１と、トナー像が転写された記録紙を加熱してトナー像を記録紙に定着させる定着部４５と、記録部４０内の用紙搬送路中に設けられ、記録紙をスタックトレイ３又は排出トレイ４８まで搬送する搬送ローラ４６３，４６４等とを備える。
【００２５】
また、記録紙の両面に画像を形成する場合は、記録部４０で記録紙の一方の面に画像を形成した後、この記録紙を排出トレイ４８側の搬送ローラ４６２にニップされた状態とする。この状態で搬送ローラ４６３を反転させて記録紙をスイッチバックさせ、記録紙を用紙搬送路Ｌに送って記録部４０の上流域に再度搬送し、記録部４０により他方の面に画像を形成した後、記録紙をスタックトレイ３又は排出トレイ４８に排出する。
【００２６】
図２は複合機１に備えられるスキャナ制御基板及びエンジン制御基板の電源制御のための構成を示すブロック図である。複合機１は、主にスキャナ部５１を駆動制御するためのスキャナ制御基板１０と、記録部４０等の画像形成機構を駆動するためのエンジン制御基板１１と、上述した操作部４７と、電源供給を制御するための電源基板１２とを有している。
【００２７】
スキャナ制御基板１０は、スキャナ部５１各部の動作制御を司るスキャナ制御部１０１と、電源基板１２から入力される制御系電源（各制御回路用の電源）のオン／オフを制御するスキャナ電源制御部１０２と、コンパクトフラッシュ（登録商標）等の小型半導体メディア等が装填されるメディア読取用インタフェイス１０３と、このメディア読取用インタフェイス１０３から読み込まれたメディアに記憶されているプログラム等のデータが格納されるフラッシュＲＯＭ等からなる記憶部１０４と、この記憶部１０４に一旦記憶された各種データをバックアップするためのＥＥＰＲＯＭ等からなるバックアップ用記憶部１０５とを有している。
【００２８】
スキャナ制御部１０１は、スキャナ部５１各部を制御する他、操作部４７の表示部４７３も動作制御するようになっている。スキャナ電源制御部１０２は、電源基板１２から入力される制御系電源について、スキャナ制御部１０１、メディア読取用インタフェイス１０３、バックアップ用記憶部１０５及びスキャナ制御基板１０上の他の回路への電源供給のオン／オフを制御する。さらに、スキャナ電源制御部１０２は、電源基板１２から入力される制御系電源の操作部４７への電源供給のオン／オフも制御する。
【００２９】
さらに、スキャナ電源制御部１０２には、メディア読取用インタフェイス１０３から、メディア読取用インタフェイス１０３にメディアが装填されたか否かを示す信号が入力されるようになっている。スキャナ電源制御部１０２は当該メディア読取用インタフェイス１０３から入力される信号に基づいて、上記スキャナ制御部１０１、メディア読取用インタフェイス１０３、バックアップ用記憶部１０５及びスキャナ制御基板１０上の他の回路と操作部４７への電源供給のオン／オフを切り換える。このように、画像形成装置に設けられていることが多いコンパクトフラッシュ（世界標準メディア）読取用インタフェイス等を利用して、このインタフェイスからメディア装填の有無に応じて送信されてくる信号に基づいて、スキャナ電源制御部１０２が制御系電源供給を制御するようにすれば、スキャナ制御基板１０を強制的に正常動作可能な状態に復帰させるためのスイッチ機構等を別途設ける必要がなくなる。
【００３０】
また、スキャナ電源制御部１０２には、エンジン制御基板１１のエンジン制御部１１１から信号が入力されるようになっており、エンジン制御部１１１によって上記各デバイスへの電源供給のオン／オフを切り換える。
【００３１】
エンジン制御基板１１には、記録部４０等を駆動するための各種回路等が設けられているが、図２には、本発明の特徴である電源制御に重要な役割を果たすエンジン制御部１１１を示している。このエンジン制御部１１１は、電源スイッチ１３と接続しており、電源スイッチ１３のオン／オフに応じて、電源基板１２に備えられている動力系電源制御部１２１を制御し、この動力系電源制御部１２１からスキャナ制御基板１０及びエンジン制御基板１１への動力系電源（各種駆動系機構の駆動用の電源）の出力をオン／オフ制御する。
【００３２】
さらに、エンジン制御部１１１は、操作部４７の節電キー４７５及びスキャナ制御基板１０のスキャナ電源制御部１０２に接続されており、節電キー４７５から入力される信号に基づいて、スキャナ制御基板１０のスキャナ電源制御部１０２を制御するようになっている。
【００３３】
電源基板１２は、電源コンセントに差し入れられるプラグと接続され、スキャナ制御基板１０及びエンジン制御基板１１に動力系電源及び制御系電源の出力する。動力系電源制御部１２１は、エンジン制御部１１１からの制御信号に基づいて、スキャナ制御基板１０及びエンジン制御基板１１への動力系電源の供給を制御する。
【００３４】
操作部４７は、スキャナ制御基板１０のスキャナ電源制御部１０２から制御系電源の供給を受ける。節電キー４７５は、エンジン制御基板１１上のエンジン制御部１１１に接続しており、節電キー４７９が押下されたときに発生させるオン信号が、エンジン制御基板１１上のエンジン制御部１１１に送出される。表示部４７３は、スキャナ制御基板１０のスキャナ制御部１０１によって動作制御される。
【００３５】
複合機１による電源制御について説明する。ユーザにより電源スイッチ１３がオンとされ、エンジン制御基板１１のエンジン制御部１１１にオン信号が送られると、このエンジン制御部１１１による制御で、電源基板１２の動力系電源制御部１２１からスキャナ制御基板１０及びエンジン制御基板１１に対して動力系電源及び制御系電源の両方が出力される通常運転状態となる。
【００３６】
複合機１が、上記通常運転状態となっている場合に、ユーザによって操作部４７の節電キー４７５が押下されて、節電モード指示が節電キー４７５からエンジン制御基板１１のエンジン制御部１１１に入力されると、エンジン制御部１１１は、電源基板１２の電源制御部にスキャナ制御基板１０及びエンジン制御基板１１への動力系電源の出力を停止させる。なお、電源基板１２からスキャナ制御基板１０及びエンジン制御基板１１への制御系電源は出力された状態が維持される。
【００３７】
これと共に、エンジン制御部１１１は、スキャナ電源制御部１０２にスキャナ制御基板１０の各デバイス及び操作部４７への制御系電源の出力を停止させる。かかる制御によって、複合機１が節電モードのときは、スキャナ制御基板１０への動力系電源及び制御系電源の出力は全て停止された状態となる。
【００３８】
上記のように、複合機１が節電モードに設定され、スキャナ制御基板１０への動力系電源及び制御系電源の出力は全て停止された状態となっている場合に、メディア読取用インタフェイス１０３にメディアが装填されると、メディア読取用インタフェイス１０３からスキャナ電源制御部１０２に、メディアが装填されたことを示す信号が送られる。この信号に基づいて、スキャナ電源制御部１０２がスキャナ制御基板１０上の各デバイス及び操作部４７に制御系電源を出力する。これにより、スキャナ制御基板１０上の各デバイス・回路及び操作部４７が動作可能な状態となる。すなわち、メディア読取用インタフェイス１０３にメディアを装填することにより、エンジン制御部１１１からの制御の有無に関わらず、スキャナ制御基板１０を強制的に節電モードから復帰させ、通常動作が可能となるように構成されている。
【００３９】
上記構成によれば、メディアをメディア読取用インタフェイス１０３に装填することにより、スキャナ制御基板１０の各デバイスと操作部４７を、エンジン制御基板１１とは関係なく独立別個に動作させることができるため、エンジン制御基板１１が破損等により正常に動作しない状態となっていても、操作部４７からユーザ又はメンテナンス作業者が操作指示を入力して、記憶部１０４に一時的に保存されている印紙枚数のカウンタ値や画像形成時の動作設定情報等のデータを、バックアップ用記憶部１０５にバックアップさせること等が可能なる。また、エンジン制御基板１１が破損等により正常に動作しない状態をエラー表示として操作部４７の表示部４７３に表示させること等も可能になる。
【００４０】
さらに、節電モード時にスキャナ制御基板１０が電源オフ状態となっていても、操作部４７節電キー４７５からのオン信号は、スキャナ制御部１０１を介さずにエンジン制御部１１１に入力されるので、スキャナ制御基板１０の電源がオフになっていても、節電キー４７５からのオン信号に基づいてエンジン制御部１１１がスキャナ電源制御部１０２を制御して、スキャナ制御基板１０の各デバイス及び回路と操作部４７への制御系電源の出力を再開させて、省エネモードから復帰させることができる。なお、節電モード時には、操作部４７にはスキャナ制御部１０１からは制御系電源が供給されていないが、制御系電源が供給されていなくても、節電キー４７５をスイッチ機構により構成して、そのオン信号がエンジン制御部１１１に入力されるようにすることは可能である。
【００４１】
さらには、節電モード時にスキャナ制御基板１０の電源がオフになっている状態でも、メディア読取用インタフェイス１０３にメディアを装填すると、スキャナ制御基板１０の各デバイスに制御系電源が供給されるので、節電モードか通常運転モードかに関わらず、メディア読取用インタフェイス１０３からメディアに記憶されているプログラムデータを読み込んで、スキャナ制御基板１０上の記憶部１０４やエンジン制御基板１１上の記憶部（図略）に当該プログラムデータを記憶させることができる。これにより、エンジン制御基板１１にメディア読取用インタフェイスが設けられていなくても、節電モードか通常運転モードかに関わらず、メディアからエンジン制御基板１１の記憶部に各デバイス動作制御用のプログラムを格納させることが可能になる。
【００４２】
次に、上記メディア読取用インタフェイス１０３にメディアが装填された場合に、メディア読取用インタフェイス１０３から送出される信号に基づいて、スキャナ電源制御部１０２がスキャナ制御基板１０上の各デバイス及び操作部４７への制御系電源の供給を制御する機構の詳細について説明する。図３はメディア読取用インタフェイス１０３の一例を示す回路図、図４はスキャナ電源制御部１０２の一例を示す回路図である。
【００４３】
図３に示すように、メディア読取用インタフェイス１０３であるコネクタに備えられている１つのピン、例えば、カード装填検出用の２６番ピンが、メディア装填時に５０番ピンからグランドに接続するようにし、この２６番ピンからＬｏｗ信号が出力されるように構成する。この２６番ピンからの出力は、図４に示す構成からなるスキャナ電源制御部１０２に入力されるようにする。
【００４４】
図４に示すスキャナ電源制御部１０２に、メディア読取用インタフェイス１０３からＬｏｗ信号が入力されてくると、第１トランジスタＳ１がオンになり、続く第２トランジスタＳ２もオンになる。このため、第３トランジスタＳ３には、Ｌｏｗ電圧が入力され、第３トランジスタＳ３はオフになる。第３トランジスタＳ３がオフになると、トランジスタＳ４に２４Ｖ電圧（Ｈｉｇｈ電圧）が入力され、第４トランジスタＳ４はオンになる。これにより、第４トランジスタＳ４には、電源基板１２（動力系電源制御部１２１）からの３．３Ｖ電圧が入力されることになるため、この３．３Ｖ電圧電源がスキャナ制御基板１０上の各デバイス及び回路と操作部４７に供給されるようになっている。
【００４５】
かかる回路構成により、メディア読取用インタフェイス１０３にメディアが装填されると、スキャナ電源制御部１０２がスキャナ制御基板１０上の各デバイス及び操作部４７に制御系電源を出力するようにすることができる。
【００４６】
上記実施形態に係る複合機１によれば、節電モード設定時には、エンジン制御基板１１上のエンジン制御部１１１が、操作部４７の節電キー４７５からの指示に基づいて、電源基板１２からスキャナ制御基板１０への動力系電源の出力だけでなく制御系電源の出力も停止させるので、節電モード時に電源基板１２からスキャナ制御基板への動力系電源だけを出力停止させる従来の電源制御よりも、節電モード時の消費電力を低減することができる。
【００４７】
また、節電モードから復帰させる場合等、節電モード時に操作部４７から操作指示を入力する場合には、操作部４７からの制御信号は、スキャナ制御基板１０のスキャナ制御部１０１ではなく、エンジン制御基板１１のエンジン制御部１１１に送られるので、スキャナ制御基板１０に電源が出力されておらず、スキャナ制御基板１０の各デバイスが動作していない状態であっても、節電モードからの復帰が可能である。
【００４８】
さらに、メディア読取用インタフェイス１０３にメディアをセットすれば、電源基板１２から出力される制御系電源がスキャナ制御基板１０上の各デバイスに出力されるので、エンジン制御基板１１に破損・故障等が生じて正常に動作しない場合であっても、スキャナ制御基板１０の各デバイスを正常動作可能な状態に復帰させることができる。
【００４９】
なお、本発明は上記実施の形態の構成に限られず種々の変形が可能である。例えば、上記実施の形態では、メディア読取用インタフェイス１０３にメディアを装填した場合にスキャナ電源制御部１０２がスキャナ制御基板１０上の各デバイス及び回路と操作部４７に制御系電源を出力される構成を図３及び図４に示す回路によって実現しているが、本発明は上記構成には限定されず、他の構成からなる回路等であってもよいことは勿論である。
【００５０】
また、上記実施形態では、スキャナ制御基板１０及びエンジン制御基板１１を用いて説明しているが、本発明はスキャナ制御基板１０及びエンジン制御基板１１に限定されるものではなく、他の制御ユニット、例えば、ファクシミリ制御基板やプリンタ制御基板、更にはオプションで複合機１に追加される他の機構を駆動制御するための制御基板・制御ユニット等の複数の制御ユニットの関係について適用されるものであってもよい。
【００５１】
また、上記実施形態では、画像形成装置の一例として、複合機１をあげているが、コピー単体機等、他の画像形成装置であってもよい。
【００５２】
【発明の効果】
以上のように請求項１に記載の発明によれば、節電モード時には、第２制御ユニット上の第２制御部が、操作部からの指示に基づいて、電源基板から第１制御ユニットへの動力系電源の出力だけでなく制御系電源の出力も停止させるので、節電モード時に電源基板から第１制御ユニットへの動力系電源だけを出力停止させる従来の電源制御よりも、節電モード時の消費電力を低減することができる。
【００５３】
また、節電モードから復帰させる場合等、節電モード時に操作部から操作指示を入力する場合であっても、操作部からの制御信号は、第１制御ユニットではなく、第２制御ユニットの第２制御部に送られるので、第１制御ユニットに電源が出力されておらず、第１制御ユニットの各デバイスが動作していない状態であっても、節電モードからの復帰が可能である。
【００５４】
さらに、メディア読み取り用のインタフェイスにメディアをセットすれば、電源基板から出力される制御系電源が第１制御ユニットの各デバイスに出力されるので、第２制御ユニットに破損・故障等が生じて正常に動作しない場合であっても、第１制御ユニットの各デバイスを正常動作可能な状態に復帰させることができる。
【００５５】
また、請求項２に記載の発明によれば、節電モード時には、エンジン制御基板上のエンジン制御部が、操作部からの指示に基づいて、電源基板からスキャナ制御基板への動力系電源の出力だけでなく制御系電源の出力も停止させるので、節電モード時に電源基板からスキャナ制御基板への動力系電源だけを出力停止させる従来の電源制御よりも、節電モード時の消費電力を低減することができる。
【００５６】
また、節電モードから復帰させる場合等、節電モード時に操作部から操作指示を入力する場合であっても、操作部からの制御信号は、スキャナ制御基板ではなく、エンジン制御基板のエンジン制御部に送られるので、スキャナ制御基板に電源が出力されておらず、スキャナ制御基板の各デバイスが動作していない状態であっても、節電モードからの復帰が可能である。
【００５７】
さらに、メディア読み取り用のインタフェイスにメディアをセットすれば、電源基板から出力される制御系電源がスキャナ制御基板の各デバイスに出力されるので、エンジン制御基板に破損・故障等が生じて正常に動作しない場合であっても、スキャナ制御基板の各デバイスを正常動作可能な状態に復帰させることができる。
【００５８】
また、請求項３に記載の発明によれば、エンジン制御基板が破損等により正常に動作しない場合等であっても、メディア読み取り用のインタフェイスにメディアがセットされ、電源基板から出力される制御系電源がスキャナ制御基板の各デバイスに出力される状態になれば、スキャナ制御部によって操作部の表示部を制御可能なので、エンジン制御基板が破損や故障等で動作しない場合であっても、操作部の表示部にエラー表示等をすること等が可能になる。
【００５９】
また、請求項４に記載の発明によれば、エンジン制御基板が破損等により正常に動作しない場合等であっても、メディア読み取り用のインタフェイスにメディアがセットされ、電源基板から出力される制御系電源がスキャナ制御基板の各デバイスに出力される状態になれば、スキャナ制御部エンジン制御基板が破損等により正常に動作しない場合であっても、スキャナ制御部による制御でデータバックアップ用記憶部に、印字枚数等のカウンタ値や画像読み込み時のユーザ設定等の情報を最新の内容にバックアップすることができる。
【図面の簡単な説明】
【図１】本発明の一実施形態に係る画像形成装置の一例である複合機の内部構成を概略的に示す側面図である。
【図２】複合機に備えられるスキャナ制御基板及びエンジン制御基板の電源制御のための構成を示すブロック図である。
【図３】メディア読取用インタフェイスの一例を示す回路図である。
【図４】スキャナ電源制御部の一例を示す回路図である。
【図５】従来の複合機に備えられるスキャナ制御基板及びエンジン制御基板の電源制御のための構成を示すブロック図である。
【図６】従来の複合機に備えられるスキャナ制御基板及びエンジン制御基板の電源制御のための構成を示すブロック図である。
【符号の説明】
１      複合機
１０    スキャナ制御基板
１０１  スキャナ制御部
１０２  スキャナ電源制御部
１０３  メディア読取用インタフェイス
１０４  記憶部
１０５  バックアップ用記憶部
１１    エンジン制御基板
１１１  エンジン制御部
１２    電源基板
１２１  動力系電源制御部
１３    電源スイッチ
５１    スキャナ部
４７    操作部
４７３  表示部
４７５  節電キー
Ｓ１    トランジスタ
Ｓ２    トランジスタ
Ｓ３    トランジスタ
Ｓ４    トランジスタ
【図１】
2005052977.tif 000003
【図２】
2005052977.tif 000004
【図３】
2005052977.tif 000005
【図４】
2005052977.tif 000006
【図５】
2005052977.tif 000007
【図６】
2005052977.tif 000008